(57)【特許請求の範囲】
【請求項１】
絶縁電線の絶縁層のリングカッターであって、
カッターヘッドホルダーとハンドルとを有するロッド体を含み、
前記カッターヘッドホルダー内に、カッターヘッド調節機構を介して前記ロッド体に連結されているカッターヘッドが設置され、前記カッターヘッドの一側のカッターヘッドホルダーに締付リンク鎖が固定され、前記カッターヘッドの他側のカッターヘッドホルダーに締付リンク鎖スルーホールが設けられ、
前記ロッド体の中部周りに締付ホルダーが設置され、前記締付ホルダーに固定ピンを介してテコ棒が固定され、前記テコ棒の先端にフックが設けられ、
前記カッターヘッドホルダーと締付ホルダーとの間のロッド体上に前後移動可能な係止環ベースが設置され、前記係止環ベースに係止環が設けられ、前記締付リンク鎖の自由端が、締付リンク鎖スルーホールと係止環とを経由した後、前記フックに連結される、ことを特徴とする絶縁電線の絶縁層のリングカッター。
【請求項２】
請求項１に記載の絶縁電線の絶縁層のリングカッターであって、
前記ロッド体が、尾部にメネジを有する管状のようなものであり、
前記カッターヘッド調節機構が、尾部に回転ハンドルを持つ調節スクリューと、スクリューの端部に位置し、可動連結されているカッターアーバとを含み、
前記カッターヘッドが前記カッターアーバの先端に設置され、前記カッターヘッドホルダーにカッターアーバ位置決め枠が設置される、ことを特徴とする絶縁電線の絶縁層のリングカッター。
【請求項３】
請求項１に記載の絶縁電線の絶縁層のリングカッターであって、
前記カッターヘッドホルダー上に、前記カッターヘッドに電気接続されたプローブ針とアラームとが設置されている、ことを特徴とする絶縁電線の絶縁層のリングカッター。
【請求項４】
請求項１、２または３の何れか一項に記載の絶縁電線の絶縁層のリングカッターを使用した絶縁層の切断方法であって、
該方法は以下のようなステップを含み、
第一ステップ：電線への巻き付け
締付リンク鎖をフックから取り外し、且つ係止環と締付リンク鎖スルーホールとから引き出し、絶縁電線に巻き付けた後、該締付リンク鎖を締付リンク鎖スルーホールと係止環とに貫通させ、
第二ステップ：カッターヘッドホルダーから延伸されたカッターヘッドの長さの調整
絶縁電線の絶縁層の厚さに応じて、カッターヘッド調節機構によってカッターヘッドホルダーから延伸されたカッターヘッドの長さを調整し、
第三ステップ：締付リンク鎖の調整によってカッターヘッドの絶縁層内への挿入
第一サブステップ：まず係止環ベースをカッターヘッドホルダー側に移動し、その後、フックができる限り低い場所に位置するようにテコ棒を後方から持ち上げ、フックを締付リンク鎖に引っ掛け、テコ棒の後端を下へ押し、
第二サブステップ：係止環ベースを後へ移動し、同時にテコ棒を後方から持ち上げ、係止環ベースが締付ホルダーの前方に移動された後、係止環ベースを固定し、その後、電線の絶縁層外表面がカッターヘッドホルダーに密着されるまでテコ棒の後端を下へ押し、電線の絶縁層外表面がカッターヘッドホルダーに密着されていなければ、電線の絶縁層外表面がカッターヘッドホルダーに密着されるまで第一サブステップ及び第二サブステップを繰り返し、
第四ステップ：絶縁層のリングカット
テコ棒を固定し、その後ロッド体を絶縁電線の周りに１回転させ、絶縁層をリングカットし、
第五ステップ：リングカッターの取り外し
締付リンク鎖をフックから取り外し、且つ係止環と締付リンク鎖スルーホールとから引き出し、そして絶縁電線から巻き外した後、リングカッターを取り外し、
第六ステップ：絶縁層の縦方向のカッティング
フック刃とハンドルとを有する刃物を用いて、絶縁層を絶縁層の長さ方向に沿ってカットし、
第七ステップ：絶縁層の取り外し
切り開かれた絶縁層を芯線から取り外す、ことを特徴とする絶縁層の切断方法。
【請求項５】
請求項４に記載の絶縁層の切断方法であって、
前記第三ステップにおいて締付リンク鎖の調整によってカッターヘッドを絶縁層内に挿入する前に、まずプローブ針を電線内に挿入し、その後、アラームが点灯するまで前記第三ステップを行い、それはカッターヘッドが既に芯線に接触したことを示しており、その後第四ステップ及び後続のステップを続ける、ことを特徴とする絶縁層の切断方法。
【発明の詳細な説明】
【技術分野】
【０００１】
本発明は電動工具という技術分野に属し、具体的には、絶縁電線の絶縁層のリングカッターに関する。
【背景技術】
【０００２】
パワー取り付け、点検メンテナンスのような過程において、多くの場合絶縁電線の絶縁層の剥離が必要である。小径絶縁線の絶縁層である場合は、比較的剥離しやすく、高電圧絶縁電線の絶縁層である場合は、難度が高くなり、特に冬では、絶縁層の靱性と硬度がより高く、より切りにくくなってしまう。現在、主に用いられている方法は以下の２つがある。その一は、紙切りナイフを直接使用して剥離する方法であり、該方法は操作者を傷つけやすいだけではなく、剥離過程においてさらに芯線をも傷つけやすく、しかも作業負荷が高く、作業効率が低い。その二は、プライヤーによって直刀状に剥離する方法であり、該方法は、操作者を傷つけにくいが、芯線を傷つけやすく、且つ作業負荷が高い。
【発明の概要】
【発明が解決しようとする課題】
【０００３】
本発明が解決しようとする一番目の技術的課題は、作業負荷が低く、作業効率が高く、安全且つ便利に使用し、電線を傷つけない絶縁電線の絶縁層のリングカッターを提供することである。
【０００４】
本発明が解決しようとする二番目の技術的課題は、上記絶縁電線の絶縁層のリングカッターを使用して絶縁層を切断する方法を提供することである。
【課題を解決するための手段】
【０００５】
上述の一番目の技術的課題を解決するために、本発明において提案された技術的方案は、カッターヘッドホルダーとハンドルとを有するロッド体を含み、上記カッターヘッドホルダー内に、カッターヘッド調節機構を介して前記ロッド体に連結されているカッターヘッドが設置され、上記カッターヘッドの一側のカッターヘッドホルダーに締付リンク鎖が固定され、上記カッターヘッドの他側のカッターヘッドホルダーに締付リンク鎖スルーホールが設置され、上記ロッド体の中部周りに締付ホルダーが設置され、上記締付ホルダーに固定ピンを介してテコ棒が固定され、上記テコ棒の先端にフックが付けられ、上記カッターヘッドホルダーと締付ホルダーとの間にあるロッド体上に前後移動可能な係止環ベースが設置され、上記係止環ベースに係止環が付けられ、上記締付リンク鎖の自由端が、締付リンク鎖スルーホールと係止環とを経由した後、上記フックに連結される、ことである。
【０００６】
その付加的な技術的特徴は、下記である。
【０００７】
上記ロッド体が尾部にメネジを持つ管状のようなものであり、上記カッターヘッド調節機構が尾部に回転ハンドルを有する調節スクリューと、スクリューの端部に位置し、可動連結されているカッターアーバとを含み、上記カッターヘッドが上記カッターアーバの先端に設置され、上記カッターヘッドホルダーにカッターアーバ位置決め枠が設置されている。
【０００８】
また、上記カッターヘッドホルダー上に、上記カッターヘッドに電気接続されているプローブ針とアラームとが設置されている。
【０００９】
上述の二番目の技術的課題を解決するために、本発明において以下の技術的方案を提案する。
【００１０】
該方法は以下のステップを含む：
第一ステップ：電線への巻き付け
締付リンク鎖をフックから取り外し、且つ係止環と締付リンク鎖スルーホールとから引き出し、絶縁電線に巻き付けた後、該締付リンク鎖を締付リンク鎖スルーホールと係止環とに貫通させ、
第二ステップ：カッターヘッドホルダーから延伸されたカッターヘッドの長さの調整
絶縁電線の絶縁層の厚さに応じて、カッターヘッド調節機構を介してカッターヘッドホルダーから延伸されたカッターヘッドの長さを調整し、
第三ステップ：締付リンク鎖の調整を介してカッターヘッドの絶縁層内への挿入
第一サブステップ：まず係止環ベースをカッターヘッドホルダー側に移動し、その後、フックができる限り低い場所に位置するようにテコ棒を後方から持ち上げ、フックを締付リンク鎖に引っ掛け、テコ棒の後端を下へ押し、
第二サブステップ：係止環ベースを後へ移動し、同時にテコ棒を後方から持ち上げ、係止環ベースが締付ホルダーの前方に移動された後で、係止環ベースを固定し、その後、電線の絶縁層外表面がカッターヘッドホルダーに密着されるまでテコ棒の後端を下へ押し、電線の絶縁層外表面がカッターヘッドホルダーに密着されていなければ、電線の絶縁層外表面がカッターヘッドホルダーに密着されるまで第一サブステップ及び第二サブステップを繰り返し、
第四ステップ：絶縁層のリングカット
テコ棒を固定し、その後ロッド体を絶縁電線の周りに１回転させ、絶縁層をリングカットし、
第五ステップ：リングカッターの取り外し
締付リンク鎖をフックから取り外し、且つ係止環と締付リンク鎖スルーホールとから引き出し、絶縁電線から巻き外した後、リングカッターを取り外し、
第六ステップ：絶縁層の縦方向のカッティング
フック刃とハンドルとを有する刃物を用いて絶縁層を絶縁層の長さ方向に沿ってカットし、
第七ステップ：絶縁層の取り外し
切り開かれた絶縁層を芯線から取り外す。
【００１１】
その付加的な技術的特徴は、
上記第三ステップにおいて締付リンク鎖の調整を介してカッターヘッドを絶縁層内に挿入する前に、まずプローブ針を電線内に挿入し、その後、アラームが点灯するまで前記第三ステップを行い、カッターヘッドが既に芯線に接触したことが示されて、その後第四ステップ及び後続のステップを続ける、ことである。
【発明の効果】
【００１２】
本発明が提供した絶縁電線の絶縁層のリングカッターと該リングカッターを使用して絶縁層の切断を行う方法としては、従来技術に比べ持っている長所が以下のとおりである。その一、カッターヘッドホルダーとハンドルとを有するロッド体を含み、カッターヘッドホルダー内に、カッターヘッド調節機構を介して上記ロッド体に連結されているカッターヘッドが設置され、上記カッターヘッドの一側のカッターヘッドホルダーに締付リンク鎖が固定され、上記カッターヘッドの他側のカッターヘッドホルダーに締付リンク鎖スルーホールが設置され、上記ロッド体の中部周りに締付ホルダーが設置され、上記締付ホルダーに固定ピンを介してテコ棒が固定され、上記テコ棒の先端にフックが付けられ、上記カッターヘッドホルダーと締付ホルダーとの間にあるロッド体上に前後移動可能な係止環ベースが設置され、上記係止環ベースに係止環が付けられ、上記締付リンク鎖の自由端が、締付リンク鎖スルーホールと係止環とを経由した後、上記フックに連結され、締付リンク鎖の調整を介してカッターヘッドを絶縁層内に挿入し、第一サブステップでは、まず係止環ベースをカッターヘッドホルダー側に移動させ、その後、フックができる限り低い場所に位置するようにテコ棒を後方から持ち上げ、フックを締付リンク鎖に引っ掛け、テコ棒の後端を下へ押し、第二サブステップでは、係止環ベースを後へ移動し、同時にテコ棒を後方から持ち上げ、係止環ベースが締付ホルダーの前方に移動された後、係止環ベースを固定し、その後、電線の絶縁層外表面がカッターヘッドホルダーに密着されるまでテコ棒の後端を下へ押し、電線の絶縁層外表面がカッターヘッドホルダーに密着されていなければ、電線の絶縁層外表面がカッターヘッドホルダーに密着されるまで第一サブステップ及び第二サブステップを繰り返し、その後テコ棒を固定し、その後ロッド体を絶縁電線の周りに１回転させ、絶縁層をリングカットするので、作業効率が向上し、且つカッターヘッドがずっと電線の絶縁層内部にあり、操作員を傷つけにくく、もっと安全に使用できる。その二、上記ロッド体は尾部にメネジを持つ管状のようなものであり、上記カッターヘッド調節機構は尾部に回転ハンドルを持つ調節スクリューと、スクリューの端部に位置し、可動連結されているカッターアーバとを含み、上記カッターヘッドが上記カッターアーバの先端に設置され、前記カッターヘッドホルダーにカッターアーバ位置決め枠が設置されるので、電線の絶縁層の厚さに応じて、カッターヘッドの長さを便利に調節することができる。その三、上記カッターヘッドホルダー上に上記カッターヘッドに電気接続されているプローブ針とアラームとが設置され、上記第三ステップにおいて締付リンク鎖の調整を介してカッターヘッドを絶縁層内に挿入する前に、まずプローブ針を電線内に挿入し、その後、アラームが点灯するまで前記第三ステップを行い、すなわち、カッターヘッドが既に芯線に接触したことが示されて、その後第四ステップ及び後続のステップを続けるので、カッターヘッドの挿入が深すぎて芯線を傷つけることを防止することができる。
【図面の簡単な説明】
【００１３】
【図１】絶縁電線の絶縁層のリングカッターの構造概略図である。
【図２】絶縁電線の絶縁層のリングカッターの断面構造概略図である。
【図３】後端に係止環ベースが位置されている絶縁電線の絶縁層のリングカッターの構造概略図である。
【発明を実施するための形態】
【００１４】
以下では、図面と具体的な実施例に基づいて、本発明が提案する絶縁電線の絶縁層のリングカッター及び絶縁層の切断方法をさらに説明する。
【００１５】
図１、図２と図３に示されているのは、絶縁電線の絶縁層のリングカッターの構造概略図である。その構造は、カッターヘッドホルダー１とハンドル２とを有するロッド体３を含み、カッターヘッドホルダー１内に、カッターヘッド調節機構４を介してロッド体３に連結されているカッターヘッド５が設置され、カッターヘッド５の一側のカッターヘッドホルダー１に締付リンク鎖６が固定され、カッターヘッド５の他側のカッターヘッドホルダー１に締付リンク鎖スルーホール７が設置され、ロッド体３の中部周りに締付ホルダー８が設置され、締付ホルダー８に固定ピンを介してテコ棒１０が固定され、テコ棒１０の先端にフック１１が設けられ、カッターヘッドホルダー１と締付ホルダー８との間にあるロッド体３上に前後移動可能な係止環ベース１２が設置され、係止環ベース１２に係止環１３が設けられ、締付リンク鎖６の自由端が、締付リンク鎖スルーホール７と係止環１３とを経由した後、フック１１に連結される。まず、電線の絶縁層の厚さに応じてカッターヘッド５の長さを調整し、係止環ベース１２をカッターヘッドホルダー１側に移動し、その後、フック１１ができる限り低い場所に位置するようにテコ棒１０を後方から持ち上げ、フック１１を締付リンク鎖６に引っ掛け、テコ棒の後端を下へ押し、その後係止環ベース１２を後へ移動し、同時にテコ棒１０を後方から持ち上げ、係止環ベース１２が締付ホルダー８の前方に移動された後、係止環ベース１２を固定し、その後、電線の絶縁層外表面がカッターヘッドホルダーに密着されるまでテコ棒の後端を下へ押す；電線の絶縁層外表面がカッターヘッドホルダーに密着されていなければ、電線の絶縁層外表面がカッターヘッドホルダー１に密着されるまで第一サブステップ及び第二サブステップを繰り返し、その後テコ棒を固定し、そしてロッド体を絶縁電線の周りに１回転させ、絶縁層をリングカットする。これにより、作業効率を向上させ、且つカッターヘッドがずっと電線の絶縁層内部にあるため、操作員を傷つけにくく、もっと安全に使用することができる。
【００１６】
ロッド体３は尾部にメネジ１４を持つ管状のようなものであり、カッターヘッド調節機構４は、尾部に回転ハンドル４１を持つ調節スクリュー４２と、スクリュー４２の端部に位置し、可動連結されているカッターアーバ４３とを含み、カッターヘッド５がカッターアーバ４３の先端に設置され、カッターヘッドホルダー１にカッターアーバ位置決め枠１５が設置され、電線の絶縁層の厚さに応じて、カッターヘッドの長さは簡単に調節されることができる。
【００１７】
カッターヘッドホルダー１上に、カッターヘッド５に電気接続されるプローブ針１６とアラーム１７とが設置される。締付リンク鎖の調整によってカッターヘッドを絶縁層内に挿入する前に、まずプローブ針１６を電線内に挿入し、その後さらに締付リンク鎖の調整によってカッターヘッドを、アラーム１７が点灯するまで絶縁層内に挿入し、それはカッターヘッドが既に芯線に接触したことを示しており、その後、後続のステップを続け、これにより、カッターヘッドの挿入が深すぎて芯線を傷つけることを回避することができる。
【００１８】
上述した絶縁電線の絶縁層のリングカッターを使用して絶縁層の切断を行う方法は、以下のようなステップを含む。
【００１９】
第一ステップ：電線への巻き付け
締付リンク鎖６をフック１１から取り外し、且つ係止環１３と締付リンク鎖スルーホール７とから引き出し、絶縁電線に巻き付けた後、該締付リンク鎖を締付リンク鎖スルーホール７と係止環１３とに貫通させる。
【００２０】
第二ステップ：カッターヘッドホルダーから延伸されたカッターヘッドの長さの調整
絶縁電線の絶縁層の厚さに応じて、カッターヘッド調節機構４によってカッターヘッドホルダー１から延伸されたカッターヘッドの長さを調整する。
【００２１】
第三ステップ：締付リンク鎖の調整によってカッターヘッドの絶縁層内への挿入
第一サブステップ：まず係止環ベース１２をカッターヘッドホルダー１側に移動し、その後、フック１１ができる限り低い場所に位置するようにテコ棒１０を後方から持ち上げ、フック１１を締付リンク鎖６に引っ掛け、テコ棒１０の後端を下へ押し、
第二サブステップ：係止環ベース１２を後へ移動し、同時にテコ棒１０を後方から持ち上げ、係止環ベース１２が締付ホルダー８の前方に移動された後、係止環ベース１２を固定し、その後、電線の絶縁層外表面がカッターヘッドホルダー１に密着されるまでテコ棒１０の後端を下へ押す；電線の絶縁層外表面がカッターヘッドホルダーに密着されていなければ、電線の絶縁層外表面がカッターヘッドホルダーに密着されるまで第一サブステップ及び第二サブステップを繰り返す。
【００２２】
第四ステップ：絶縁層のリングカット
テコ棒１０を固定した後、ロッド体を絶縁電線の周りに１回転させ、絶縁層をリングカットする。
【００２３】
第五ステップ：リングカッターの取り外し
締付リンク鎖６をフック１１から取り外し、且つ係止環１３と締付リンク鎖スルーホール７とから引き出し、絶縁電線から巻き外した後、リングカッターを取り外す。
【００２４】
第六ステップ：絶縁層の縦方向のカッティング
フック刃とハンドルとを有する刃物を用いて、絶縁層を絶縁層の長さ方向に沿ってカットする。
【００２５】
第七ステップ：絶縁層の取り外し
切り開かれた絶縁層を芯線から取り外す。
【００２６】
上述した第三ステップにおいて締付リンク鎖６の調整によってカッターヘッド５を絶縁層内に挿入する前に、まずプローブ針１６を電線内に挿入し、その後、アラーム１７が点灯するまで上記第三ステップを行い、それはカッターヘッドが既に芯線に接触したことを示しており、その後第四ステップ及び後続のステップを続ける。
【００２７】
本発明の保護範囲は上述した実施例に限定されるものではなく、その構成の基本的な思想が本発明の絶縁電線の絶縁層のリングカッターのものと同じであれば、本発明の保護範囲に含まれる。
【図１】
0005957149.tif 000002
【図２】
0005957149.tif 000003
【図３】
0005957149.tif 000004